(57)【要約】  新しいデータパケット伝送解決策が、本発明で提供される。まず、ソースネットワーク装置が、データパケットの複製をスポンサ中継局及び他の１以上のアシスタント中継局に送信し、次いで、１以上のアシスタント中継局は受信したデータパケットの複製をスポンサ中継局に送信する。スポンサ中継局が、ソースによって直接的に送信される複製、並びに１以上のアシスタント中継局によって送信される複数の複製を受信した後に、スポンサ中継局はデータパケットのいくつかの複製のジョイント処理を適用し、次いで、対応するネットワーク装置にジョイント処理の結果を送信する。好ましくは、１以上のアシスタント中継局がスポンサ中継局にデータパケットの複製を送信した後に、宛先ネットワーク装置も１以上の複製を受信し、その１以上の複製及びスポンサ中継局から受信されるデータパケットの複製のジョイント処理を適用する。
2010532115.tif 000002
【特許請求の範囲】
【請求項１】
ワイヤレスネットワーク内のスポンサ中継局でデータを送信する方法であって、
ｂ．複数の異なる伝送路を介してソースネットワーク装置からデータパケットの複数の複製を受信するステップ、及び
ｃ．データパケットの前記複数の複製にジョイント処理を適用し、対応するネットワーク装置に前記ジョイント処理の結果を送信するステップ
を備える方法。
【請求項２】
請求項１に記載の方法であって、前記ステップｂの前に、
ａ．前記ソースネットワーク装置によって再送信されるべきデータパケットを示す再送信指示メッセージを基地局から受信するステップ
をさらに備える方法。
【請求項３】
請求項２に記載の方法であって、前記ステップｃが、
受信したデータパケットの前記複数の複製及び前の１以上の伝送のデータパケットの複数の複製にジョイント処理を適用し、前記対応するネットワーク装置に前記ジョイント処理の結果を送信するステップ
をさらに備える方法。
【請求項４】
請求項１乃至３のいずれか１項に記載の方法であって、前記対応するネットワーク装置が宛先ネットワーク装置を含み、前記ステップｃが、
ｃ１１．データパケットの前記複数の複製に合成処理を適用して、データパケットの合成後複製を得るステップ、及び
ｃ１２．データパケットの前記合成後複製を前記宛先ネットワーク装置に送信するステップ
をさらに備える方法。
【請求項５】
請求項４に記載の方法であって、
前記宛先ネットワーク装置がデータパケットを正しく受信するかどうかを示す受信指示メッセージを前記宛先ネットワーク装置から受信するステップ、及び
前記受信指示メッセージを前記ソースネットワーク装置に送信するステップ
をさらに備える方法。
【請求項６】
請求項１乃至３のいずれか１項に記載の方法であって、前記対応するネットワーク装置が、宛先ネットワーク装置、前記ソースネットワーク装置及び基地局を含み、前記ステップｃが、
ｃ２１．データパケットの前記複数の複製に合成処理を適用し、データパケットの合成後複製を得るステップ、
ｃ２２．データパケットの前記合成後複製を検査して、前記スポンサ中継局がデータパケットを正しく受信するかどうかを示す検査結果を得るステップ、及び
ｃ２３．前記検査結果を基地局及び前記ソースネットワーク装置に送信するステップ
をさらに備え、前記ステップｃ２２の後に、
前記スポンサ中継局がデータパケットを正しく受信することを前記検査結果が示すとき、データパケットの前記合成後複製を前記宛先ネットワーク装置に送信するステップ
をさらに備える方法。
【請求項７】
請求項１乃至６のいずれか１項に記載の方法であって、前記ステップｂが、
前記ソースネットワーク装置からデータパケットの複製を直接的に受信するステップ、及び
前記１以上のアシスタント中継局を介して、前記ソースネットワーク装置からデータパケットの１以上の複製を受信するステップ
をさらに備える方法。
【請求項８】
請求項５又は６に記載の方法であって、前記ソースネットワーク装置及び前記宛先ネットワーク装置が、移動局と基地局の対、移動局と中継局の対、中継局と移動局の対、中継局と中継局の対、中継局と基地局の対、基地局と移動局の対、基地局と中継局の対のうちのいずれか１つのネットワーク装置の対を含む方法。
【請求項９】
ワイヤレスネットワーク内の基地局でのデータ伝送のためのリソースを割り振る方法であって、
ｉ．ソースネットワーク装置、スポンサ中継局、１以上のアシスタント中継局及び宛先ネットワーク装置に対して伝送リソースをそれぞれ割り振り、それによって、
割り振られたリソースを用いて、前記ソースネットワーク装置がデータパケットの複製を前記スポンサ中継局及び前記１以上のアシスタント中継局に送信し、割り振られた伝送リソースを利用することにより、前記１以上のアシスタント中継局が、データパケットの、前記ソースネットワーク装置から受信した前記複製を前記スポンサ中継局に送信し、前記スポンサ中継局がデータパケットの複数の複製を受信した後、前記スポンサ中継局がデータパケットの複数の複製にジョイント処理を適用し、割り振られた伝送リソースを利用することにより、対応するネットワーク装置に前記ジョイント処理の結果を送信するステップ
を備える方法。
【請求項１０】
請求項９に記載の方法であって、前記ステップｉが、
前記ソースネットワーク装置、前記スポンサ中継局、前記１以上のアシスタント中継局及び前記宛先ネットワーク装置に対して伝送リソースをそれぞれ割り振り、それによって、
割り振られたリソースを用いて、前記ソースネットワーク装置がデータパケットの複製を前記スポンサ中継局及び前記１以上のアシスタント中継局に送信し、割り振られた伝送リソースを利用することにより、前記１以上のアシスタント中継局がデータパケットの、前記ソースネットワーク装置から受信した前記複製を前記スポンサ中継局及び前記宛先ネットワーク装置に送信し、前記スポンサ中継局がデータパケットの複数の複製を受信した後、前記スポンサ中継局がデータパケットの複数の複製にジョイント処理を適用し、割り振られた伝送リソースを利用することにより、前記対応するネットワーク装置に前記ジョイント処理の結果を送信するステップ
をさらに備える方法。
【請求項１１】
請求項９又は１０に記載の方法であって、
前記スポンサ中継局が前記ソースネットワーク装置からデータパケットを正しく受信するかどうかを示す受信指示メッセージを前記スポンサ中継局から受信するステップ、及び
前記スポンサ中継局が前記ソースネットワーク装置からデータパケットを正しく受信しない場合、前記ステップｉを実施するステップ
をさらに備える方法。
【請求項１２】
請求項１１に記載の方法であって、
前記スポンサ中継局が前記ソースネットワーク装置からデータパケットを正しく受信する場合、前記宛先ネットワーク装置がデータパケットを正しく受信するかどうかを判定するステップ、及び
前記宛先ネットワーク装置がデータパケットを正しく受信しない場合、データパケットの再送信のために、前記スポンサ中継局及び前記１以上のアシスタント中継局に対して、伝送リソースが基地局によってそれぞれ割り振られるステップ
をさらに備える方法。
【請求項１３】
請求項９乃至１２のいずれか１項に記載の方法であって、前記ソースネットワーク装置及び前記宛先ネットワーク装置が、移動局と基地局の対、移動局と中継局の対、中継局と移動局の対、中継局と中継局の対、中継局と基地局の対、基地局と移動局の対、基地局と中継局の対のうちのいずれか１つのネットワーク装置の対を含む方法。
【請求項１４】
請求項９又は１０に記載の方法であって、前記宛先ネットワーク装置が、移動局又は中継局を含み、
前記宛先ネットワーク装置が前記ソースネットワーク装置からデータパケットを正しく受信するかどうかを示す受信指示メッセージを前記宛先ネットワーク装置から受信するステップ、及び
前記宛先ネットワーク装置が前記ソースネットワーク装置からデータパケットを正しく受信しない場合、前記ステップｉを実施するステップ
をさらに備える方法。
【請求項１５】
請求項９又は１０に記載の方法であって、前記宛先ネットワーク装置が基地局を含み、前記ステップｉの前に、
前記１以上のアシスタント中継局からデータパケットの１以上の複製を受信するステップ、
前記スポンサ中継局からデータパケットの合成後複製を受信するステップ、
前記１以上のアシスタント中継局から受信したデータパケットの前記１以上の複製及び前記スポンサ中継局から受信したパケットの前記合成後複製に対して合成処理を適用して、合成後データパケットを生成するステップ、
前記合成後データパケットを検査するステップ、及び
前記合成後データパケットの検査結果が誤りである場合、前記ステップｉを実施するステップ
をさらに備える方法。
【請求項１６】
ワイヤレスネットワーク内のスポンサ中継局でのデータ伝送のための送信装置であって、
複数の異なる伝送路を介してソースネットワーク装置からデータパケットの複数の複製を受信するように構成された第１受信手段、及び
データパケットの前記複数の複製にジョイント処理を適用し、対応するネットワーク装置に前記ジョイント処理の結果を送信するように構成されたジョイント処理及び送信手段
を備える送信装置。
【請求項１７】
請求項１６に記載の送信装置であって、
前記ソースネットワーク装置によって基地局から再送信されるべきデータパケットを示す再送信指示メッセージを受信するように構成された第２受信手段
をさらに備える送信装置。
【請求項１８】
請求項１７に記載の送信装置であって、前記ジョイント処理及び送信手段がさらに、
受信したデータパケットの複数の複製及び前の１以上の伝送のデータパケットの複数の複製に対してジョイント処理を適用し、前記対応するネットワーク装置に前記ジョイント処理の結果を送信する
ように構成される送信装置。
【請求項１９】
請求項１６乃至１８のいずれか１項に記載の送信装置であって、前記対応するネットワーク装置が宛先ネットワーク装置を含み、前記ジョイント処理及び送信手段が、
データパケットの前記複数の複製に合成処理を適用して、データパケットの合成後複製を生成するように構成された第１合成手段、及び
データパケットの前記合成後複製を前記宛先ネットワーク装置に送信するように構成された第１送信手段
を備える送信装置。
【請求項２０】
請求項１９に記載の送信装置であって、
前記宛先ネットワーク装置が前記宛先ネットワーク装置からデータパケットを正しく受信するかどうかを示す受信指示メッセージを受信するように構成された第３受信手段、及び
前記受信指示メッセージを前記ソースネットワーク装置に送信するように構成された第２送信手段
をさらに備える送信装置。
【請求項２１】
請求項１９又は２０に記載の送信装置であって、前記対応するネットワーク装置が、ソースネットワーク装置及び基地局を含み、前記ジョイント処理及び送信手段が、
前記第１合成手段によって合成されたデータパケットの前記複製に検査を適用して、前記スポンサ中継局がデータパケットを正しく受信するかどうかを示す検査結果を得るように構成された第１検査手段、及び
前記ソースネットワーク装置及び基地局に前記検査結果を送信するように構成された第３送信手段をさらに備え、
前記第１送信手段がさらに、前記スポンサ中継局がデータパケットを正しく受信することを前記検査結果が示すとき、データパケットの前記合成後複製を前記宛先ネットワーク装置に送信するように構成される送信装置。
【請求項２２】
請求項１５乃至２１のいずれか１項に記載の送信装置であって、前記第１受信手段がさらに、
前記ソースネットワーク装置からデータパケットの複製を直接的に受信し、
前記１以上のアシスタント中継局を介して前記ソースネットワーク装置からデータパケットの１以上の複製を受信する
ように構成される送信装置。
【請求項２３】
請求項２０又は２１に記載の送信装置であって、前記ソースネットワーク装置及び宛先ネットワーク装置が、移動局と基地局の対、移動局と中継局の対、中継局と移動局の対、中継局と中継局の対、中継局と基地局の対、基地局と移動局の対、基地局と中継局の対のうちのいずれか１つのネットワーク装置の対を含む送信装置。
【請求項２４】
ワイヤレスネットワーク内の基地局でのデータ伝送のためのリソースを割り振るリソース割振り装置であって、
ソースネットワーク装置、スポンサ中継局、１以上のアシスタント中継局及び宛先ネットワーク装置に対して伝送リソースをそれぞれ割り振るように構成された割振り手段であって、それによって、
割り振られたリソースを用いて、前記ソースネットワーク装置がデータパケットの複製を前記スポンサ中継局及び前記１以上のアシスタント中継局に送信し、割り振られた伝送リソースを利用することにより、前記１以上のアシスタント中継局が、データパケットの、前記ソースネットワーク装置から受信した複製を前記スポンサ中継局に送信し、前記スポンサ中継局がデータパケットの複数の複製を受信した後、前記スポンサ中継局がデータパケットの前記複数の複製にジョイント処理を適用し、割り振られた伝送リソースを利用することにより、対応するネットワーク装置にジョイント処理の結果を送信する割振り手段
を備えるリソース割振り装置。
【請求項２５】
請求項２４に記載のリソース割振り装置であって、前記割振り手段がさらに、
前記ソースネットワーク装置、前記スポンサ中継局、前記１以上のアシスタント中継局及び前記宛先ネットワーク装置に対して伝送リソースをそれぞれ割り振り、それによって、
割り振られたリソースを用いて、前記ソースネットワーク装置がデータパケットの複製を前記スポンサ中継局及び前記１以上のアシスタント中継局に送信し、割り振られた伝送リソースを利用することにより、前記１以上のアシスタント中継局が、データパケットの、前記ソースネットワーク装置から受信した前記複製を前記スポンサ中継局及び前記宛先ネットワーク装置に送信し、前記スポンサ中継局がデータパケットの複数の複製を受信した後、前記スポンサ中継局がデータパケットの複数の複製にジョイント処理を適用し、割り振られた伝送リソースを利用することにより、前記対応するネットワーク装置に前記ジョイント処理の結果を送信する
ように構成されるリソース割振り装置。
【請求項２６】
請求項２４又は２５に記載のリソース割振り装置であって、
前記スポンサ中継局が前記ソースネットワーク装置からデータパケットを正しく受信するかどうかを示す受信指示メッセージを前記スポンサ中継局から受信するように構成された第４受信手段をさらに備え、
前記スポンサ中継局が前記ソースネットワーク装置からデータパケットを正しく受信しない場合、データパケットの再送信のために、伝送リソースが、前記割振り手段によって前記ソースネットワーク装置、前記スポンサ中継局、前記１以上のアシスタント中継局及び前記宛先ネットワーク装置に割り振られるリソース割振り装置。
【請求項２７】
請求項２６に記載のリソース割振り装置であって、
前記スポンサ中継局が前記ソースネットワーク装置からデータパケットを正しく受信するとき、前記宛先ネットワーク装置がデータパケットを正しく受信するかどうかを判定するように構成された判定手段をさらに備え、
前記割振り手段がさらに、
データパケットの再送信のために、前記スポンサ中継局、前記１以上のアシスタント中継局に対して伝送リソースを割り振る
ように構成されるリソース割振り装置。
【請求項２８】
請求項２４乃至２７のいずれか１項に記載のリソース割振り装置であって、前記ソースネットワーク装置及び前記宛先ネットワーク装置が、移動局と基地局の対、移動局と中継局の対、中継局と移動局の対、中継局と中継局の対、中継局と基地局の対、基地局と移動局の対、基地局と中継局の対のうちのいずれか１つのネットワーク装置の対を含むリソース割振り装置。
【請求項２９】
請求項２４又は２５に記載のリソース割振り装置であって、前記宛先ネットワーク装置が、移動局又は中継局を含み、リソース割振り装置が、
前記宛先ネットワーク装置が前記ソースネットワーク装置からデータパケットを正しく受信するかどうかを示す受信指示メッセージを前記宛先ネットワーク装置から受信するように構成された第５受信手段をさらに備え、
前記割振り手段がさらに、
前記宛先ネットワーク装置が前記ソースネットワーク装置からデータパケットを正しく受信しない場合、データパケットの再送信のために、前記ソースネットワーク装置、前記スポンサ中継局、前記１以上のアシスタント中継局及び前記宛先ネットワーク装置に対して伝送リソースを割り振る
ように構成されるリソース割振り装置。
【請求項３０】
請求項２４又は２５に記載のリソース割振り装置であって、前記宛先ネットワーク装置が移動局を含み、前記リソース割振り装置が、
前記１以上のアシスタント中継局からデータパケットの１以上の複製を受信し、前記スポンサ中継局からデータパケットの合成後複製を受信するように構成された第６受信手段、
前記１以上のアシスタント中継局から受信したデータパケットの前記１以上の複製及び前記スポンサ中継局から受信したデータパケットの前記合成後複製に対して合成処理を適用して、合成後データパケットを生成するように構成された第２合成手段、及び
前記合成後データパケットを検査するように構成された第２検査手段をさらに備え、
前記割振り手段がさらに、
前記合成後データパケットの検査結果が誤りである場合、前記ソースネットワーク装置、前記スポンサ中継局、前記１以上のアシスタント中継局及び前記宛先ネットワーク装置に対して伝送リソースをそれぞれ割り振り、それによって、
割り振られたリソースを用いて、前記ソースネットワーク装置がデータパケットの複製を前記スポンサ中継局及び前記１以上のアシスタント中継局に送信し、割り振られた伝送リソースを利用することにより、前記１以上のアシスタント中継局が、データパケットの、前記ソースネットワーク装置から受信した前記複製を前記スポンサ中継局に送信し、前記スポンサ中継局がデータパケットの複数の複製を受信した後、前記スポンサ中継局がデータパケットの複数の複製にジョイント処理を適用し、割り振られた伝送リソースを利用することにより、対応するネットワーク装置に前記ジョイント処理の結果を送信する
ように構成されるリソース割振り装置。
【発明の詳細な説明】
【技術分野】
【０００１】
本発明はワイヤレス通信のリレーネットワークに関し、詳細には、ワイヤレス通信の中継ネットワークの中継局及び基地局でデータを送信する方法及び装置に関する。
【背景技術】
【０００２】
ハイブリッド自動再送信は成熟した技法であり、高速なフェージング及びシェーディングによる受信ビット誤り率及びフレーム誤り率の低下を補償する再送信機構であり、マルチホップ中継ネットワークに適用される。
【発明の概要】
【発明が解決しようとする課題】
【０００３】
しかし、現在のマルチホップ中継ネットワークでは、あるノードの周期的冗長検査の結果に何らかの誤りが生じる限りは、そのノードのデータパケットを再送信する必要がある。図１の中継ネットワークを参照すると、アップリンクフレームの期間中、中継局は移動局からデータパケットを受信し、データパケットの周期的冗長検査の結果に誤りが生じた場合、中継局はデータパケットを再送信することを要求するように、誤って受信したデータパケットを基地局に対して示す受信指示メッセージを送信する。フォローアップダウンリンクフレームでは、中継局は送信されたデータパケットの受信誤りを移動局に対して示す応答メッセージを送信する。またフォローアップアップリンクフレームでは、基地局は中継局から受信指示メッセージに従ってデータパケットを再送信するためのリソースを割り振り、次いで、データパケットの伝送の新しいラウンドが実行される。上記のデータパケットの再送信は、再送信がデータパケットの最後の伝送の後に間隔なしで続くという理想的な状態にある。実際には、基地局が再送信のためのリソースを割り振っているとき、データパケットの最初の伝送から、恐らくはいくつかのアップリンク／ダウンリンクフレーム持続時間が経過している。従って、データパケットの再送信により、余分な伝送遅延が生じる。図１に示される現在のマルチホップ中継ネットワークトポロジでは、中継局と移動局との間に１つだけワイヤレスリンクがあり、従って、ワイヤレスリンクチャネルの伝送条件が悪化したとき、データパケットの伝送誤りが高確率事象となり、それによりデータパケットの伝送に余分な遅延が導入されることになる。
【課題を解決するための手段】
【０００４】
現在のマルチホップ中継局の不備を解決するために、新しいデータパケット伝送解決策が本発明で提供される。まず、ソースネットワーク装置がデータパケットの複製をスポンサ中継局及び他の１以上のアシスタント中継局に送信し、次いで、１以上のアシスタント中継局は受信したデータパケットの複製をスポンサ中継局に送信する。スポンサ中継局が、ソースによって直接的に送信される複製、並びに１以上のアシスタント中継局によって送信される複数の複製を受信した後に、スポンサ中継局は、データパケットのいくつかの複製のジョイント処理を適用し、次いで、対応するネットワーク装置にジョイント処理の結果を送信する。好ましくは、１以上のアシスタント中継局がスポンサ中継局にデータパケットの複製を送信した後に、宛先ネットワーク装置も１以上の複製を受信し、その１以上の複製及びスポンサ中継局から受信されるデータパケットの複製のジョイント処理を適用する。
【０００５】
本発明の第１の態様によれば、以下のステップを含む、ワイヤレスネットワーク内のスポンサ中継局でデータを送信する方法が提供される。ｂ．複数の異なる伝送路を介してソースネットワーク装置からデータパケットの複数の複製を受信するステップ、ｃ．データパケットの複数の複製にジョイント処理を適用し、対応するネットワーク装置にジョイント処理の結果を送信するステップ。
【０００６】
本発明の第２の態様によれば、以下のステップを含む、ワイヤレスネットワーク内の基地局でデータ伝送のためのリソースを割り振る方法が提供される。
ｉ．ソースネットワーク装置、スポンサ中継局、１以上のアシスタント中継局及び宛先ネットワーク装置に対して伝送リソースをそれぞれ割り振り、それによって、
割り振られたリソースを用いて、ソースネットワーク装置が、データパケットの複製をスポンサ中継局及び１以上のアシスタント中継局に送信し、割り振られた伝送リソースを利用することにより、１以上のアシスタント中継局が、データパケットの、ソースネットワーク装置から受信した複製をスポンサ中継局に送信し、スポンサ中継局がデータパケットの複数の複製を受信した後、スポンサ中継局が、データパケットの複数の複製にジョイント処理を適用し、割り振られた伝送リソースを利用することにより、対応するネットワーク装置にジョイント処理の結果を送信するステップ。
【０００７】
本発明の第３の態様によれば、ワイヤレスネットワーク内のスポンサ中継局でのデータ伝送のための送信装置であって、複数の異なる伝送路を介してソースネットワーク装置からデータパケットの複数の複製を受信するように構成された第１受信手段、データパケットの複数の複製にジョイント処理を適用し、対応するネットワーク装置にジョイント処理の結果を送信するように構成されたジョイント処理及び送信手段を備える送信装置が提供される。
【０００８】
本発明の第４の態様によれば、ワイヤレスネットワーク内の基地局でのデータ伝送のためのリソースを割り振るリソース割振り装置であって、ソースネットワーク装置、スポンサ中継局、１以上のアシスタント中継局及び宛先ネットワーク装置に対して伝送リソースをそれぞれ割り振るように構成された割振り手段であって、それによって、
割り振られたリソースを用いて、ソースネットワーク装置が、データパケットの複製をスポンサ中継局及び１以上のアシスタント中継局に送信し、割り振られた伝送リソースを利用することにより、１以上のアシスタント中継局が、データパケットの、ソースネットワーク装置から受信した複製をスポンサ中継局に送信し、スポンサ中継局がデータパケットの複数の複製を受信した後、スポンサ中継局が、データパケットの複数の複製にジョイント処理を適用し、割り振られた伝送リソースを利用することにより、対応するネットワーク装置にジョイント処理の結果を送信する割振り手段を備えるリソース割振り装置が提供される。
【０００９】
本発明でアシスタント中継局を導入し、空間ダイバーシティを利用すると、図１に示されるネットワークトポロジを用いるデータ伝送解決策と比較して、マルチホップ中継局について、データ伝送の正常率が改善され、従って、伝送遅延が低下し、ワイヤレスリソースの利用率が改善される。
【００１０】
以下の非限定的な実施形態の説明を添付の図面と共に読むことにより、本発明の特徴、態様及び利点が明らかとなるであろう。添付の図面では、同一又は類似の参照番号は、同一又は類似のステップ又は手段を指す。
【図面の簡単な説明】
【００１１】
【図１】従来技術のワイヤレスネットワーク内の２ホップ中継ネットワークトポロジを示す図である。
【図２】本発明の一実施形態によるワイヤレスネットワーク内の２ホップ中継ネットワークトポロジを示す図である。
【図３】本発明の一実施形態によるワイヤレスネットワーク内の２ホップ中継ネットワークトポロジ内の単一時間データパケット伝送のアップリンク伝送のシナリオを示す図である。
【図４】本発明の一実施形態によるワイヤレスネットワーク内の２ホップ中継ネットワークトポロジ内の単一時間データパケット伝送のダウンリンク伝送のシナリオを示す図である。
【図５】本発明の一実施形態によるワイヤレスネットワーク内の別の２ホップ中継ネットワークトポロジを示す図である。
【図６】本発明の一実施形態によるワイヤレスネットワーク内のマルチホップ中継ネットワークトポロジを示す図である。
【図７】本発明の一実施形態によるワイヤレスネットワーク内の別のマルチホップ中継ネットワークトポロジを示す図である。
【図８】本発明の一実施形態によるワイヤレスネットワーク内の２ホップ中継ネットワークトポロジ内のアクティブハイブリッド自動再送信での初回データパケット伝送のアップリンク伝送のシナリオを示す図である。
【図９】本発明の一実施形態によるワイヤレスネットワーク内の２ホップ中継ネットワークトポロジ内のアクティブハイブリッド自動再送信での初回データパケット伝送のダウンリンク伝送のシナリオを示す図である。
【図１０】本発明の一実施形態によるワイヤレスネットワーク内の２ホップ中継ネットワークトポロジ内のパッシブハイブリッド自動再送信での初回データパケット伝送のアップリンク伝送のシナリオを示す図である。
【図１１】本発明の一実施形態によるワイヤレスネットワーク内の２ホップ中継ネットワークトポロジ内のパッシブハイブリッド自動再送信での初回データパケット伝送のダウンリンク伝送のシナリオを示す図である。
【図１２】本発明の一実施形態によるワイヤレスネットワーク内のスポンサ中継局でのデータ伝送の流れ図である。
【図１３】本発明の一実施形態によるワイヤレスネットワーク内のスポンサ中継局でのジョイント処理及び伝送のステップのサブステップの流れ図である。
【図１４】本発明の一実施形態によるワイヤレスネットワーク内のスポンサ中継局でのジョイント処理及び伝送のステップの別のサブステップの流れ図である。
【図１５】本発明の一実施形態による伝送リソースの割振りを示す図である。
【図１６】本発明の一実施形態によるワイヤレスネットワーク内のデータ伝送の宛先ネットワーク装置として使用される基地局でのデータ伝送の流れ図である。
【図１７】本発明の一実施形態によるワイヤレスネットワーク内のスポンサ中継局内のデータ伝送用の送信装置の機能ブロック図である。
【図１８】本発明の一実施形態によるワイヤレスネットワーク内の基地局内のデータ伝送のためのリソース割振り用のリソース割振り装置の機能ブロック図である。
【発明を実施するための形態】
【００１２】
図２は、移動局、スポンサ中継局、アシスタント中継局及び基地局を備える、本発明の一実施形態によるネットワークトポロジの図を示す。図２は、スポンサ中継局及びアシスタント中継局の概念に伴う２つの異なる機能を有する２つの種類の中継局を区別するためのものに過ぎないことに留意されたい。本発明でのスポンサ中継局の機能が追加される従来技術での中継局は、本発明でのスポンサ中継局となる。本発明でのアシスタント中継局の機能を従来技術での中継局で実装することができ、即ち、本発明でのアシスタント中継局と、従来技術での中継局との間に違いはない。
【００１３】
本発明での解決策は、データパケットの単一時間伝送と、データパケットのハイブリッド自動再送信のどちらにも当てはまる。本発明の解決策では、単純さとコストを考慮に入れて、データ伝送のワイヤレス伝送リソースの割振りが全て基地局によって実施される。図面に示されるようなＵＬ／ＤＬ  ＭＡＰは、アップリンク／ダウンリンク制御マッピング情報、即ち基地局によって割り振られる伝送リソースの情報を表す。移動局、スポンサ中継局及びアシスタント中継局は、アップリンク／ダウンリンクマッピング情報によって指定される伝送リソース情報に従って、データ／管理シグナリングを受信及び送信する。伝送リソース情報は、時間及び周波数領域リソース情報、変調モード、符号化フォーマットなどを含む。
【００１４】
アップリンク／ダウンリンクでのデータパケットの単一時間伝送が、図２と共に、図３及び図４に従って以降で示される。
【００１５】
データパケットのアップリンク単一時間伝送
まず、ステップＡ１１で、移動局が、基地局によって割り振られた伝送リソースを介して、スポンサ中継局及びアシスタント中継局にデータパケットを送信する。次いでステップＡ１２で、アシスタント中継局がデータパケットを受信した後、データパケットが、アシスタント中継局により、基地局によって割り振られた伝送リソースを介してスポンサ中継局に送信される。
【００１６】
スポンサ中継局が、移動局及びアシスタント中継局からそれぞれデータパケットの複製を次々に受信した後、ステップＡ１３で、スポンサ中継局はデータパケットのこれらの２つの複製の合成処理を適用し、データパケットの合成後複製を生成する。次いでステップＡ１４で、スポンサ中継局は基地局によって割り振られた伝送リソースを利用することによって基地局に合成後複製を送信する。このようにして１回のデータパケットのアップリンク伝送が完了する。
【００１７】
好ましくは、図３の点線の矢印で示されるように、ステップＡ１２で、アシスタント中継局はデータパケットを基地局にも送信することができる。基地局がスポンサ中継局から合成後複製を受信した後、アシスタント中継局からの複製及びスポンサ中継局からの合成後複製に対して、基地局によって合成処理が適用される。このようにして１回の伝送中に空間ダイバーシティが２倍利用され、データパケットの伝送正確度が著しく改善される。
【００１８】
データパケットのダウンリンク単一時間伝送
まず、ステップＡ２１で、データパケットがスポンサ中継局及びアシスタント中継局に送信される。次いでステップＡ２２で、アシスタント中継局がデータパケットを受信した後に、基地局によって割り振られた伝送リソースを介して、データパケットがアシスタント中継局によってスポンサ中継局に送信される。
【００１９】
スポンサ中継局が移動局及びアシスタント中継局からそれぞれデータパケットの複製を受信した後、ステップＡ２３で、スポンサ中継局はデータパケットのこれら２つの複製に対して合成処理を適用し、データパケットの合成後複製を生成する。次いで、ステップＡ２４で、基地局によって割り振られた伝送リソースを利用することにより、合成後複製が移動局に送信される。このようにして１回のデータパケットのダウンリンク伝送が完了する。
【００２０】
好ましくは、図４の点線の矢印で示されるように、ステップＡ２２で、アシスタント中継局は、移動局にもデータパケットを送信することができる。移動局がスポンサ中継局から合成後複製を受信した後、アシスタント中継局からの複製及びスポンサ中継局からの合成後複製に対して、合成処理が移動局によって適用される。このようにして、データパケットの１回の伝送中に空間ダイバーシティが２倍利用され、データパケットの伝送正確度が著しく改善される。確かに、上記のケースでは、移動局の比較的高い性能が必要とされることがある。従来技術の範囲内では、上述の合成処理が、ある移動局ではサポートされないことがある。
【００２１】
図２は、アシスタント中継局を伴う２ホップ中継ネットワークのトポロジ図を示すが、本発明は図２に示されるトポロジに限定されないことを当業者は理解されよう。本発明の方法は、複数のアシスタント中継局が関係する図５に示されるケースにも当てはめることができ、ソースネットワーク装置及び宛先ネットワーク装置が基地局又は移動局に限定されず、図６に示されるように、中継局をソースネットワーク装置又は宛先ネットワーク装置としても使用することができる。図６では、移動局と中継局との間、又は中継局と基地局との間に複数の中継局を構築することができる。図７に示されるように、図２のデータ伝送のネットワークトポロジを縦続接続することができる。本発明は図２及び図５から図７に示されるネットワークトポロジに限定されず、ネットワークトポロジの範囲の範囲及び精神から逸脱することなく、様々な修正又は合成を行うことができることを当業者は理解されたい。
【００２２】
上述のデータパケットの複数の複製の変調モードは異なるものでよいことに留意されたい。例えば、ソースネットワーク装置がスポンサ中継局及びアシスタント中継局にデータパケットを送信する間は１６ＱＡＭ変調を採用することができ、次いでアシスタント中継局がスポンサ中継局にデータパケットを送信する間は、６４ＱＡＭ変調を採用することができる。受信されたデータパケットの２つの複製に対して対数尤度比復調及び合成処理がスポンサ中継局によって実施された後、それに対して復号化及び検査が適用される。採用される合成モードは本発明では限定されず、例えばＣｈａｓｅ  Ｃｏｍｂｉｎｉｎｇ（ＣＣ）又はＩｎｃｒｅｍｅｎｔａｌ  Ｒｅｄｕｎｄａｎｃｙ（ＩＲ）合成を適用可能にすることができる。
【００２３】
上記で示されるように、データパケットの単一時間伝送に適用される本発明が説明される。また、ハイブリッド自動再送信に対する本発明の適用が図８から図１１及び図２と共に以降で説明される。
【００２４】
スポンサ中継局によって検証が適用されるかどうかに従って、データパケットの複数の複製と、受信されたデータパケットの正しさを示す受信指示メッセージとの組合せが、検証結果に応じて送信され、ハイブリッド自動再送信は、アクティブハイブリッド自動再送信とネガティブハイブリッド自動再送信という２つのカテゴリに分類される。
【００２５】
１．アクティブハイブリッド自動再送信
本発明の実施形態によれば、アクティブハイブリッド自動再送信は、スポンサ中継局が複数の異なる伝送路を介してソースネットワーク装置によって送信された複数の複製を受信した後、スポンサ中継局が、複数の複製に対する合成を実施することによって合成後複製を得、合成後複製に対して検査を適用して、受信したデータパケットの正しさを判定し、次いで検査結果をソースネットワーク装置及び基地局に送信し、ソースネットワーク装置が、移動局、中継局又は基地局を含むことを特徴とする。
【００２６】
１．１  データパケットのアップリンク伝送
図２に示されるネットワークトポロジを例に取り、図８を参照しながらアクティブハイブリッド自動再送信でのデータパケットのアップリンク伝送について詳細な説明が以下のように提示される。
【００２７】
まず、ステップＢ１１で、基地局によって割り振られたリソースを介して、移動局がスポンサ中継局及びアシスタント中継局にデータパケットを送信する。アシスタント中継局がデータパケットを受信した後、ステップＢ１２で、アシスタント中継局は基地局によって割り振られた伝送リソースを利用することにより、スポンサ中継局にデータパケットを送信する。
【００２８】
スポンサ中継局が移動局及びアシスタント中継局からそれぞれデータパケットの２つの複製を受信した後、ステップＢ１３で、スポンサ中継局はデータパケットの２つの複製の合成を実施することによって合成後複製を得、次いで合成後複製に対して検査が適用され、受信されたデータパケットの正しさが判定される。使用される特定の検査モードについて制限はなく、送信機によって使用される検査モードに応じて採用される。現在のところはＣＲＣが最も一般的な検査モードである。検査の後、ステップＢ１４で、スポンサ中継局は検査結果を基地局及び移動局に送信する。スポンサ中継局でデータパケットを送信する２つの方法が提供され、その一方は、検査結果に応じて、合成後複製が基地局に送信されるか否かを決定するものであり、即ち、検査結果が正しい場合、ステップＢ１５で、データパケットの合成後複製が基地局に送信され、検査結果が誤っている場合、データパケットの合成後複製の伝送が取り消される。他方の方法は、ステップＢ１５で、検査結果の正しさの如何に関わらずデータパケットの合成後複製が常に基地局に送信されるものである。ステップＢ１４及びＢ１５を不特定の順序で実施できることに留意されたい。
【００２９】
スポンサ中継局のデータパケットの検査結果が誤りであっためにデータパケットの合成後複製の伝送が行われない場合、ステップＢ１８で、スポンサ中継局は受信したデータパケットの検査誤りを示す受信指示メッセージを移動局に送信する。次いで、基地局によるデータパケットの再送信のためのリソースが割り振られ、データパケットの最初の伝送と同様にリソースを割り振ることができる。
【００３０】
スポンサ中継局が基地局にデータパケットの合成後複製を送信する場合、基地局が合成後複製を受信した後、ステップＢ１６で、合成後複製が検査される。好ましくは、基地局はまた、ステップＢ１２でアシスタント中継局によって送信されたデータパケットの複製をも受信することができ、スポンサ中継局からのデータパケットの合成後複製及びアシスタント中継局からのデータパケットの複製に対して合成プロセスを適用して、合成後データパケットを得、検査が合成後データパケットに対しても適用される。ステップＢ１７では、基地局は受信したデータパケットの正しさを示す受信指示メッセージをスポンサ中継局に送信する。好ましくは、基地局はまた、受信したデータパケットの正しさを示す受信指示メッセージをアシスタント中継局にも送信する。
【００３１】
スポンサ中継局が、受信したデータパケットの正しさを示す受信指示メッセージを基地局から受信した後、基地局でのデータパケットの検査結果又はスポンサ中継局でのデータパケットの検査結果のどちらかが正しい場合、ステップＢ１８で、スポンサ中継局は、受信したデータパケットの検査結果の正しさを示す受信指示メッセージを移動局に送信する。基地局からのデータパケットの検査結果も、スポンサ中継局からのデータパケットの検査結果も正しくない場合、ステップＢ１８で、スポンサ中継局は受信したデータパケットの検査結果の誤りを示す受信指示メッセージを移動局に送信する。
【００３２】
上記のプロセスで説明したように、データパケットの最初の伝送及び検査結果の通知が終了する。
【００３３】
基地局での検査結果が正しい場合、即ち、データパケットが基地局によって正しく受信される場合、データパケットの伝送が終了する。
【００３４】
データパケットが基地局とスポンサ中継局のどちらでも誤って受信される場合、データパケットの再送信のために、移動局、アシスタント中継局及びスポンサ中継局に対して、リソースが基地局によって割り振られ（説明を簡単にするために、図８では移動局による再送信のステップは図示されていない）、再送信処理は、図８に示される再送信処理と同じでよく、又は少し異なるものでよい。２回目の伝送の処理では、スポンサ中継局が移動局及びアシスタント中継局からそれぞれデータパケットの２つの複製を受信した後、順次、データパケットの２つの複製に対して合成プロセス及び検査を適用することができ、又は２つの複製の合成結果及び最初の伝送での合成後複製に対して別の合成を適用することができ、その別の合成の結果に対して検査が適用される。同様に、２回目の伝送プロセスでは、基地局がスポンサ中継局からデータパケットの合成後複製を受信した後、２回目のデータ伝送で受信した合成後複製及び最初のデータ伝送で受信した合成後複製に対して合成プロセス及び検査を適用することができ、又は基地局がスポンサ中継局からのデータパケットの合成後複製及びアシスタント中継局からの複製を受信した後、これらの２つの複製に対して合成プロセス及び検査を基地局によって適用することができ、又はこの２つの複製の合成結果及び最初のデータ伝送での合成後複製に対して別の合成を適用することができ、次いでその別の合成の結果に対して検査が適用される。
【００３５】
データパケットが基地局で誤って受信されるが、スポンサ中継局で正しく受信される場合、データパケットの再送信のために、リソースが基地局によってスポンサ中継局に対して割り振られる（説明を簡単にするために、図８ではスポンサ中継局による再送信のステップは図示されていない）。スポンサ中継局は、データパケットの合成後複製の２回目の伝送を実施し、次いで、基地局が合成後複製を受信した後、合成後複製及び最初の伝送で受信された複製に対して別の合成が適用され、合成後データパケットが得られる。検査が合成後データパケットに対して適用された後、検査結果がスポンサ中継局に送られる。
【００３６】
好ましくは、データパケットが基地局で誤って受信されるが、スポンサ中継局で正しく受信されるとき、データパケットの再送信のために、リソースが基地局によってスポンサ中継局に割り振られ、同時にアシスタント中継局にも割り振られる。２回目のデータ伝送では、基地局がスポンサ中継局のデータパケットの合成後複製及びアシスタント中継局からの複製を受信した後に、これら２つの複製に対して合成処理及び検査を基地局によって適用することができ、又は２つの複製の合成結果及び最初の伝送での合成後複製に対して別の合成を適用することができ、次いでその別の合成の結果に対して検査が適用される。検査結果はスポンサ中継局及びアシスタント中継局に送信される。
【００３７】
基地局がデータパケットを正しく受信するまで、又は再送信時間が所定の最大値に達した後にデータパケットの伝送が終了するまで、上記の移動局、スポンサ中継局及びアシスタント中継局で上記のように再送信が続行される。
【００３８】
１．２  データパケットのダウンリンク伝送
図２に示されるネットワークトポロジを例に取り、図９を参照しながら、アクティブハイブリッド自動再送信でのデータパケットのダウンリンク伝送について詳細な説明が以下のように提示される。
【００３９】
まず、ステップＢ２１で、基地局が、基地局自体によって割り振られたリソースを介して、スポンサ中継局及びアシスタント中継局にデータパケットを送信し、アシスタント中継局がデータパケットを受信した後、ステップＢ２２で、アシスタント中継局は基地局によって割り振られた伝送リソースを利用することにより、スポンサ中継局にデータパケットを送信する。
【００４０】
スポンサ中継局が移動局及びアシスタント中継局からそれぞれデータパケットの２つの複製を受信した後、ステップＢ２３で、データパケットの２つの複製を合成することによって合成後複製が生成され、合成後複製に対して検査が適用され、受信したデータパケットの正しさが判定される。使用される特定の検査モードについて制限はなく、送信機によって使用される検査モードに応じて採用される。現在のところはＣＲＣが最も一般的な検査モードである。
【００４１】
スポンサ中継局でデータパケットを送信する２つの処理モードが提供され、その一方は、検査結果に応じて、データパケットを基地局に送信すべきか否かを決定するものであり、即ち、検査結果が正しい場合、ステップＢ２４で、データパケットの合成による複製が移動局に送信され、検査結果が誤っている場合、データパケットの合成後複製の伝送が取り消される。他方の処理モードは、ステップＢ２４で、検査結果の正しさの如何に関わらずデータパケットの合成後複製が常に移動局に送信されるものである。
【００４２】
スポンサ中継局のデータパケットの検査結果が誤りであったために移動局に対するデータパケットの合成後複製の伝送が実施されない場合、ステップＢ２８で、スポンサ中継局は、受信したデータパケットの検査誤りを示す受信指示メッセージを基地局に送信する。次いで、基地局によるデータパケットの再送信のためのリソースが割り振られ、データパケットの最初の伝送と同様にリソースを割り振ることができる。
【００４３】
スポンサ中継局が移動局にデータパケットの合成後複製を送信する場合、移動局が合成後複製を受信した後、ステップＢ２５で、合成後複製が検査される。好ましくは、移動局はまた、ステップＢ２２でアシスタント中継局によって送信されたデータパケットの複製をも受信することができ、スポンサ中継局からのデータパケットの合成後複製及びアシスタント中継局からのデータパケットの複製に対して合成プロセスを適用して、合成後データパケットを得る。検査が合成後データパケットに対しても適用される。ステップＢ２６では、移動局は受信したデータパケットの正しさを示す受信指示メッセージをスポンサ中継局に送信する。好ましくは、移動局はまた、受信したデータパケットの正しさを示す受信指示メッセージをアシスタント中継局にも送信する。
【００４４】
スポンサ中継局はスポンサ中継局自体で受信したデータパケットの検査結果を示す受信指示メッセージを基地局に送信することができ、又は移動局のデータパケットの検査結果を参照して、対応する受信指示メッセージを送信することを決定することができる。具体的には、スポンサ中継局が受信したデータパケットの正しさを示す受信指示メッセージを移動局から受信した後、移動局からのデータパケットの検査結果又はスポンサ中継局からのデータパケットの検査結果のどちらかが正しい場合、ステップＢ２８で、スポンサ中継局は、受信したデータパケットの検査の正しさを示す受信指示メッセージを基地局に送信する。そうでない場合、スポンサ中継局はデータパケットの検査誤りを示す受信指示メッセージを基地局に送信する。
【００４５】
一方、ステップＢ２７で、移動局から来る、移動局の受信したデータパケットの検査誤りを示す受信指示メッセージがスポンサ中継局によって基地局に送信される。
【００４６】
ステップＢ２７及びＢ２８を不特定の順序で実施できることに留意されたい。
【００４７】
上記のプロセスで説明したように、データパケットの最初の伝送及び正しさの通知が終了する。
【００４８】
移動局での検査結果が正しい場合、即ち、データパケットが移動局によって正しく受信される場合、データパケットの伝送が終了する。
【００４９】
データパケットが基地局とスポンサ中継局のどちらでも誤って受信される場合、データパケットの再送信のために、リソースが基地局によって移動局、アシスタント中継局及びスポンサ中継局に対して割り振られ（説明を簡単にするために、図９では移動局による再送信のステップは図示されていない）、再送信処理は、図９に示される再送信処理と同じでよく、又は少し異なるものでよい。２回目の伝送の処理では、スポンサ中継局が移動局及びアシスタント中継局からそれぞれデータパケットの２つの複製を受信した後、データパケットの２つの複製に対して合成処理及び検査を適用することができ、又はこの２つの複製の合成結果及び最初のデータ伝送での合成後複製に対して別の合成を適用することができ、次いでその別の合成の結果に対して検査が適用される。同様に、２回目の伝送プロセスでは、移動局がスポンサ中継局からデータパケットの合成後複製を受信した後、２回目のデータ伝送で受信した上記の合成後複製及び最初のデータ伝送で受信した合成後複製に対して合成処理及び検査を適用することができ、又は移動局がスポンサ中継局から来るデータパケットの合成後複製及びアシスタント中継局からの複製を受信した後、上記の２つの複製に対して合成処理及び検査を移動局によって適用することができ、又はこの２つの複製の合成結果及び最初のデータ伝送での合成後複製に対して別の合成を適用することができ、次いでその別の合成の結果に対して検査が適用される。次いで、移動局によって受信されたデータパケットの検査結果を示す受信指示メッセージがスポンサ中継局に送信され、次いでスポンサ中継局によって基地局に転送される。
【００５０】
データパケットが基地局で誤って受信されるが、スポンサ中継局で正しく受信される場合、データパケットの再送信のために、リソースが基地局によってスポンサ中継局に対して割り振られる（説明を簡単にするために、図９ではスポンサ中継局による再送信のステップは図示されていない）。スポンサ中継局は、基地局によって割り振られたリソースを介して、データパケットの合成後複製の２回目の伝送を実施する。移動局が合成後複製を受信した後、合成後複製及び最初の伝送で受信された複製に対して別の合成が適用され、合成後データパケットが得られる。検査が合成後データパケットに対して適用された後、移動局によって受信されたデータパケットの検査結果を示す受信指示メッセージがスポンサ中継局に送信され、次いでスポンサ中継局によって基地局に転送される。
【００５１】
好ましくは、データパケットが移動局で誤って受信されるが、スポンサ中継局で正しく受信される場合、データパケットの再送信のために、リソースが基地局によってスポンサ中継局に対して割り振られ、同時にアシスタント中継局にも割り振ることができる。２回目の伝送では、移動局がスポンサ中継局からのデータパケットの合成後複製及びアシスタント中継局からの複製を受信した後に、こうした上記の２つの複製に対して合成処理及び検査を移動局によって適用することができ、又は上記の２つの複製の合成結果及び最初の伝送での合成後複製に対して別の合成を適用することができ、次いでその別の合成の結果に対して検査が適用される。次いで、移動局によって受信されたデータパケットの検査結果を示す受信指示メッセージがスポンサ中継局に送信され、次いでスポンサ中継局によって基地局に転送される。
【００５２】
移動局がデータパケットを正しく受信するまで、又は再送信カウントが所定の最大値に達した後にデータパケットの伝送が終了するまで、上記の基地局、スポンサ中継局又はアシスタント中継局で上記のように再送信が続行される。
【００５３】
２．パッシブハイブリッド自動再送信
本発明の実施形態によれば、パッシブハイブリッド自動再送信は、スポンサ中継局が複数の異なる伝送路を介してソースネットワーク装置によって送信された複数の複製を受信した後、複数の複製を合成することによって合成後複製が生成され、合成後複製が宛先ネットワークに直接的に送信され、ソースネットワーク装置が移動局、中継局を含み、宛先ネットワーク装置が中継局又は基地局を含み、或いはソースネットワーク装置が基地局を含み、宛先ネットワーク装置が移動局を含むことを特徴とする。
【００５４】
２．１  データパケットのアップリンク伝送
図２に示されるネットワークトポロジを例に取り、図１０を参照しながら、パッシブハイブリッド自動再送信でのデータパケットのアップリンク伝送について、詳細な説明が以下のように提示される。
【００５５】
まず、ステップＣ１１で、基地局によって割り振られたリソースを介して、移動局がスポンサ中継局及びアシスタント中継局にデータパケットを送信する。アシスタント中継局がデータパケットを受信した後、ステップＣ１２で、アシスタント中継局は、基地局によって割り振られた伝送リソースを利用することにより、スポンサ中継局にデータパケットを送信する。
【００５６】
スポンサ中継局が移動局及びアシスタント中継局からそれぞれデータパケットの２つの複製を受信した後、ステップＣ１３で、データパケットの２つの複製を合成することによって合成後複製が生成される。次いで、ステップＣ１４で、データパケットの合成後複製がスポンサ中継局によって基地局に送信される。
【００５７】
合成後複製が基地局によって受信された後、ステップＣ１５で、合成後複製が検査される。好ましくは、基地局はステップＣ１２でアシスタント中継局によって送信されたデータパケットの複製を受信することができ、スポンサ中継局からのデータパケットの合成後複製及びアシスタント中継局からの複製に対して別の合成を適用して、合成後データパケットを得ることができ、次いでその別の合成の結果に対して検査が適用される。次いで、ステップＣ１６で、データパケットの検査結果を示す受信指示メッセージが基地局によってスポンサ中継局に送信される。スポンサ中継局がデータパケットの検査結果を示す受信指示メッセージを基地局から受信した後、ステップＣ１７で、スポンサ中継局は受信指示メッセージを移動局に転送する。
【００５８】
上記のプロセスで説明したように、データパケットの最初の伝送及び正しさの通知が終了する。
【００５９】
基地局での検査結果が正しい場合、即ち、データパケットが基地局によって正しく受信される場合、データパケットの伝送が終了する。
【００６０】
データパケットが基地局で誤って受信される場合、データパケットの再送信のために、リソースが基地局によって移動局、アシスタント中継局及びスポンサ中継局に割り振られ、再送信処理は単に上記のステップをたどり（説明を簡単にするために、図１０では移動局による再送信のステップは図示されていない）、再送信処理は図１０に示される再送信処理と同じでよく、又は少し異なるものでよい。２回目の伝送の処理では、スポンサ中継局が移動局及びアシスタント中継局からそれぞれデータパケットの２つの複製を受信した後、データパケットの２つの複製に対して合成処理及び検査を適用することができ、又はこの２つの複製の合成結果及び最初のデータ伝送での合成後複製に対して別の合成を適用することができ、次いでその別の合成の検査結果が、基地局に送信される。同様に、２回目の伝送プロセスでは、基地局がスポンサ中継局からデータパケットの合成後複製を受信した後、２回目の伝送で受信した上記の合成後複製及び最初の伝送で受信した合成後複製に対して合成処理及び検査を適用することができ、又は基地局がこうした２つの複製を受信した後、スポンサ中継局から来るデータパケットの合成後複製及びアシスタント中継局からの複製に対して合成処理及び検査を基地局によって適用することができ、又は２つの複製の合成結果及び最初の伝送での合成後複製に対して別の合成を適用することができ、次いでその別の合成の結果に対して検査が適用される。
【００６１】
好ましくは、データパケットの最初の伝送の処理で、図１０に示されるように、スポンサ中継局が、データパケットの検査結果を示す受信指示メッセージを基地局から受信する。受信指示メッセージが基地局の正しい検査結果を示す場合、受信指示メッセージがスポンサ中継局によって移動局に送信される。受信指示メッセージが基地局の正しい検査結果を示す場合、スポンサ中継局はスポンサ中継局自体の中のデータパケットのローカル検査結果が正しいか否かを判定する。データパケットのローカル検査結果が正しい場合、基地局のデータパケットの検査誤りを示す受信指示メッセージが、基地局のデータパケットの正しい検査結果を示す受信指示メッセージに変更され、次いで移動局に送信され、その受信指示メッセージは、基地局がデータパケットを正しく受信し、データパケットを再送信する必要はないことを移動局に確信させる。再送信はスポンサ中継局及びアシスタント中継局のみによって実施される。
【００６２】
基地局がデータパケットを正しく受信するまで、又は再送信カウントが所定の最大値に達した後にデータパケットの伝送が終了するまで、上記の移動局、スポンサ中継局及びアシスタント中継局で上記のように再送信が続行される。
【００６３】
２．２  データパケットのダウンリンク伝送
図２に示されるネットワークトポロジを例に取り、図１１を参照しながら、パッシブハイブリッド自動再送信でのデータパケットのアップリンク伝送について、詳細な説明が以下のように提示される。
【００６４】
まず、ステップＣ２１で、基地局自体によって割り振られたリソースを介して、基地局がスポンサ中継局及びアシスタント中継局にデータパケットを送信する。アシスタント中継局がデータパケットを受信した後、ステップＣ２２で、アシスタント中継局は基地局によって割り振られた伝送リソースを利用することによりスポンサ中継局にデータパケットを送信する。
【００６５】
スポンサ中継局が移動局及びアシスタント中継局からそれぞれデータパケットの２つの複製を受信した後、ステップＣ２３で、データパケットの２つの複製を合成することによって合成後複製が生成される。次いで、ステップＣ２４で、データパケットの合成後複製がスポンサ中継局によって移動局に送信される。
【００６６】
合成後複製が基地局によって受信された後、ステップＣ２５で、合成後複製が検査される。好ましくは、移動局はステップＣ２２でアシスタント中継局によって送信されたデータパケットの複製を受信することができ、スポンサ中継局からのデータパケットの合成後複製及びアシスタント中継局からの複製に対して別の合成を適用して、合成後データパケットを得ることができ、次いで合成後データパケットに対して検査が適用される。次いで、ステップＣ２６で、合成後データパケットの検査結果を示す受信指示メッセージが移動局によってスポンサ中継局に送信される。ステップＣ２７で、スポンサ中継局は基地局に受信指示メッセージを転送する。
【００６７】
上記のプロセスで説明したように、データパケットの最初の伝送及び正しさの通知が終了する。
【００６８】
移動局での検査結果が正しい場合、即ち、データパケットが移動局によって正しく受信される場合、データパケットの伝送が終了する。
【００６９】
データパケットが移動局で誤って受信される場合、データパケットの再送信のために、リソースが、基地局によって基地局自体、アシスタント中継局及びスポンサ中継局に割り振られ、再送信処理は単に上記のステップをたどり（説明を簡単にするために、図１１では移動局による再送信のステップは図示されていない）、再送信処理は図１０に示される再送信処理と同じでよく、又は少し異なるものでよい。２回目の伝送の処理では、スポンサ中継局が基地局及びアシスタント中継局からそれぞれデータパケットの２つの複製を受信した後、データパケットの２つの複製に対して合成処理及び検査を適用することができ、又はこの２つの複製の合成結果及び最初のデータ伝送での合成後複製に対して別の合成を適用することができ、次いでその別の合成の検査結果が移動局に送信される。同様に、２回目の伝送プロセスでは、移動局がスポンサ中継局から来るデータパケットの合成後複製を受信した後、２回目の伝送で受信した上記の合成後複製及び最初の伝送で受信した合成後複製に対して合成処理及び検査を適用することができ、又は移動局がこうした２つの複製を受信した後、スポンサ中継局から来るデータパケットの合成後複製及びアシスタント中継局からの複製に対して合成処理及び検査を移動局によって適用することができ、又は２つの複製の合成結果及び最初の伝送での合成後複製に対して別の合成を適用することができ、次いでその別の合成の結果に対して検査が適用される。移動局のデータパケットの検査結果を示す受信指示メッセージが移動局によってスポンサ中継局に送信される。スポンサ中継局は受信指示メッセージを基地局に転送する。
【００７０】
移動局がデータパケットを正しく受信するまで、又は再送信カウントが所定の最大値に達した後にデータパケットの伝送が終了するまで、上記の基地局、スポンサ中継局及びアシスタント中継局で上記のように再送信が続行される。
【００７１】
上記と同様に、システムプロセスの観点から本発明の実施形態が詳細に説明される。上記の実施形態では、機能の観点から方法のステップが説明されることに留意されたい。ステップのシーケンスはデータリンク層の異なるプロトコル、又は物理層の異なるプロトコル、又はワイヤレスネットワークの異なるアップリンクサブフレームスケジューリングと共に変化することがある。
【００７２】
以下の文では、図１２から図１６と共に、スポンサ中継局及び基地局の観点から本発明の実施形態について詳細な説明が提示される。
【００７３】
図１２は本発明の一実施形態によるワイヤレスネットワーク内のスポンサ中継局でのデータ伝送の方法の流れ図を示す。
【００７４】
まず、ステップＳ１０１で、スポンサ中継局が、複数の異なる伝送路を介して、ソースネットワーク装置からデータパケットの複数の複製を受信し、次いでステップＳ１０２で、スポンサ中継局がデータパケットの複数の複製に対してジョイント処理を適用し、対応するネットワーク装置に処理の結果を送信する。ステップＳ１０１を以下のように２つのサブステップにさらに分割することができる（説明を簡単にするために、図１２ではサブステップは図示されていない）。まず、スポンサ中継局がソースネットワーク装置から複製データパケットを直接的に受信し、次いで、スポンサ中継局が、１以上のアシスタント中継局を介して、ソースネットワーク装置からデータパケットの１以上の複製を受信する。
【００７５】
本明細書では、ソースネットワーク装置と宛先ネットワーク装置は、移動局と基地局の対、移動局と中継局の対、中継局と移動局の対、中継局と中継局の対、中継局と基地局の対、基地局と移動局の対、基地局と中継局の対のうちのいずれでもよい。
【００７６】
データパケットの単一時間伝送では、ステップＳ１０２を、スポンサ中継局が複数の複製に合成処理を適用して合成後複製を得て合成後複製が宛先ネットワーク装置に送信されると指定することができる。
【００７７】
ハイブリッド自動再送信では、データパケットがスポンサ中継局又は宛先ネットワーク装置で誤って受信される場合、データパケットの再送信のために、基地局によってソースネットワーク装置にリソースが割り振られる。好ましくは、ステップＳ１０１の前に、以下のステップがさらに設けられる。スポンサ中継局が、ソースネットワーク装置によって再送信すべきデータパケットを示す再送信指示メッセージを基地局から受信する。再送信の期間中、スポンサ中継局は、再送信のデータパケットの受信した複数の複製及び前の１以上の伝送のデータパケットの複数の複製にジョイント処理を適用し、対応するネットワーク装置にジョイント処理の結果を送信する。スポンサ中継局がデータパケットを正しく受信したが、宛先がデータパケットを誤って受信した場合、データパケットの再送信のために、基地局によってスポンサ中継局にリソースが割り振られる。代替実施形態として、データパケットの再送信のために、基地局によってスポンサ中継局と１以上のアシスタント中継局のどちらにもリソースを割り振ることもできる。
【００７８】
パッシブハイブリッド自動再送信では、対応するネットワーク装置は宛先ネットワーク装置を含む。図１３に示されるように、上記のステップＳ１０２を２つのサブステップＳ１０２１１及びＳ１０２１２にさらに分割することができる。
【００７９】
まず、ステップＳ１０２１１で、受信したデータパケットの複数の複製に対してスポンサ中継局によってジョイント処理が適用され、データパケットの合成後複製が生成される。
【００８０】
２番目に、ステップＳ１０２１２で、データパケットの合成後複製がスポンサ中継局によって宛先ネットワーク装置に送信される。
【００８１】
宛先ネットワーク装置がデータパケットの合成後複製を受信した後、検査が合成後複製に適用される。好ましくは、宛先ネットワーク装置はまた、１以上のアシスタント局からデータパケットの１以上の複製をも受信し、次いで１以上の複製及びスポンサ中継局からの合成後複製に対して合成処理が適用され、合成後データパケットが生成され、合成後データパケットに対して検査が適用され、次いで検査結果を示す受信指示メッセージが宛先ネットワーク装置によってスポンサ中継局に送信される。
【００８２】
データパケットが宛先ネットワーク装置から宛先ネットワーク装置で正しく受信されたかどうかを示す受信指示メッセージをスポンサ中継局が受信した後、スポンサ中継局は受信指示メッセージをソースネットワーク装置に送信する。
【００８３】
ソースネットワーク装置及び宛先ネットワーク装置が、移動局と基地局の対、移動局と中継局の対、中継局と移動局の対、中継局と中継局の対、中継局と基地局の対のうちのいずれか１つであるとき、好ましくは、スポンサ中継局がデータパケットの検査結果を示す受信指示メッセージを宛先ネットワーク装置から受信した後、受信指示メッセージが宛先ネットワーク装置の正しい検査結果を示す場合、受信指示メッセージがスポンサ中継局によってソースネットワーク装置に転送される。受信指示メッセージが宛先ネットワーク装置の検査結果の誤りを示す場合、スポンサ中継局はスポンサ中継局自体の中のデータパケットのローカル検査結果が正しいか否かを判定する。データパケットのローカル検査結果が正しい場合、宛先ネットワーク装置のデータパケットの検査誤りを示す受信指示メッセージが、宛先ネットワーク装置のデータパケットの正しい検査結果を示す受信指示メッセージに変更され、ソースネットワーク装置に送信され、その受信指示メッセージは、宛先ネットワーク装置がデータパケットを正しく受信し、データパケットを再送信する必要はないことをソースネットワーク装置に確信させる。再送信はスポンサ中継局及びアシスタント中継局のみによって実施される。
【００８４】
アクティブハイブリッド自動再送信では、対応するネットワーク装置はソースネットワーク装置、宛先ネットワーク装置及び基地局を含む。図１４に示されるように、前述のステップ１０２を４つのサブステップＳ１０２２１、Ｓ１０２２２、Ｓ１０２２３及びＳ１０２２４に分割することができる。
【００８５】
まず、ステップＳ１０２２１で、受信したデータパケットの複数の複製に対してスポンサ中継局によって合成処理が適用され、データパケットの合成後複製が生成される。２番目に、ステップＳ１０２２２で、データパケットの合成後複製に対して検査が適用され、スポンサ中継局がデータパケットを正しく受信するかどうかを示す検査結果が得られる。次に、ステップＳ１０２２３で、検査結果が基地局及び宛先ネットワーク装置に送信される。最後に、ステップＳ１０２２４で、合成後複製が宛先ネットワーク装置に送信される。ステップＳ１０２２３及びステップＳ１０２２４をどんな特定の順序も伴わずに実施できることに留意されたい。変形形態として、ステップＳ１０２２４が実施されるか否かがステップＳ１０２２２の検査結果に依存し、即ち、スポンサ中継局がデータパケットを正しく受信することをデータパケットの検査結果が示す場合にのみ、その結果としてステップＳ１０２２４をスポンサ中継局で実施して、データパケットの合成後複製を宛先ネットワーク装置に送信することができる。
【００８６】
上記の特定の実施形態では、機能の観点から方法のステップが説明されることに留意されたい。実際の実装では、ステップのシーケンスは、データリンク層の異なるプロトコル、又は物理層の異なるプロトコル、又はワイヤレスネットワークの異なるアップリンクサブフレームスケジューリングと共に変化することがある。
【００８７】
このワイヤレス通信ネットワークでは、ワイヤレス伝送リソースの割振りが基地局によって実施され、中継局及び移動局の複雑さが低減され、ワイヤレス伝送リソースの中央管理及び割当てが容易になる。本発明の実施形態によれば、基地局は、ソースネットワーク装置、スポンサ中継局、１以上のアシスタント中継局及び宛先ネットワーク装置にそれぞれ伝送リソースを割振り、その結果、ソースネットワーク装置は、割り振られた伝送リソースを介して、スポンサ中継局及び１以上のアシスタント中継局にデータパケットの複製を送信し、１以上のアシスタント中継局はソースネットワーク装置から受信した複製のデータパケットを、割り振られた伝送リソースを介してスポンサ中継局に送信する。データパケットの複数の複製を受信した後、スポンサ中継局は複数の複製にジョイント処理を適用し、割り振られた伝送リソースを介して、対応するネットワーク装置にジョイント処理の結果を送信する。
【００８８】
好ましくは、基地局によってソースネットワーク装置、スポンサ中継局、１以上のアシスタント中継局及び宛先ネットワーク装置に対してそれぞれ伝送リソースが割り振られ、その結果、ソースネットワーク装置は、割り振られた伝送リソースを介して、データパケットの複製をスポンサ中継局及び１以上のアシスタント中継局に送信し、１以上のアシスタント中継局はソースネットワーク装置から受信したデータパケットの複製を、割り振られた伝送リソースを介してスポンサ中継局及び宛先ネットワーク装置に送信する。データパケットの複数の複製を受信した後、スポンサ中継局は複数の複製にジョイント処理を適用し、割り振られた伝送リソースを介して、対応するネットワーク装置にジョイント処理の結果を送信する。
【００８９】
本明細書では、ソースネットワーク装置及び宛先ネットワーク装置は、移動局と基地局の対、移動局と中継局の対、中継局と移動局の対、中継局と中継局の対、中継局と基地局の対、基地局と移動局の対、基地局と中継局の対のうちのいずれでもよい。
【００９０】
図１５は、本発明の一実施形態による伝送リソースの割振りの図を示す。説明を簡単にするために、図２に示される、１つのアシスタント中継局に関係するネットワークトポロジを例に取り、本発明の教示に従って、基地局が図５から図７のネットワークトポロジ又は図５から図７のネットワークトポロジに基づく何らかの変形ネットワークトポロジに対してどのようにリソースを割り振るかを当業者は理解されたい。
【００９１】
伝送リソースがデータパケットの伝送のために割り振られるごとに、ソースネットワーク装置がスポンサ中継局及びアシスタント中継局にデータパケットを送信するために、伝送リソースブロック１が、基地局によってソースネットワーク装置に割り振られ、アシスタント中継局がスポンサ中継局及び宛先ネットワーク装置にデータパケットを送信するために、伝送リソースブロック２が基地局によってアシスタント中継局に割り振られ、スポンサ中継局が宛先ネットワーク装置にデータパケットを送信するために、伝送リソースブロック３が基地局によってスポンサ中継局に割り振られる。上記の３つの伝送リソースブロックに関するタイミング制約は、伝送リソースブロック１は伝送リソースブロック２に先行しなければならず、伝送リソースブロック２は伝送リソースブロック３に先行しなければならないことである。
【００９２】
同一のデータパケットの異なる複製を異なる方式で変調することができるので、上述の３つの伝送リソースブロックは等しいサイズでよいことに留意されたい。
【００９３】
ハイブリッド自動再送信では、データパケットが正しく受信されるかどうかを示す受信指示メッセージを送信するために、対応する伝送リソースブロックが基地局によって宛先ネットワーク及びスポンサ中継局に割り振られるべきである。
【００９４】
アクティブハイブリッド自動再送信の期間中、基地局はまた、スポンサ中継局がソースネットワーク装置からデータパケットを正しく受信するかどうかを示す受信指示メッセージをスポンサ中継局から受信する。スポンサ中継局がソースネットワーク装置からデータパケットを正しく受信しない場合、データパケットの再送信のために、伝送リソースが、基地局によってソースネットワーク装置、スポンサ中継局、１以上のアシスタント中継局及び宛先ネットワーク装置に割り振られ、再送信のリソース割振りは、最初の伝送のリソース割振りと同じである。
【００９５】
スポンサ中継局がソースネットワーク装置からデータパケットを正しく受信するとき、基地局は、宛先ネットワーク装置のデータパケットの検査結果の正しさを示す、宛先ネットワーク装置からの受信指示メッセージに従って、宛先ネットワーク装置がデータパケットを正しく受信するかどうかを判定する。確かに、基地局が宛先ネットワーク装置自体である場合、受信指示メッセージが基地局で不必要に受信される。宛先ネットワーク装置がデータパケットを正しく受信しない場合、データパケットの再送信のために、伝送リソースが基地局によってスポンサ中継局、１以上のアシスタント中継局に割り振られる。
【００９６】
パッシブハイブリッド自動再送信の期間中、宛先ネットワーク装置が移動局又は中継局であるとき、基地局は、宛先ネットワーク装置がソースネットワーク装置からデータパケットを正しく受信するかどうかを示す受信指示メッセージを宛先ネットワーク装置から受信する。宛先ネットワーク装置がソースネットワーク装置からデータパケットを正しく受信しない場合、データパケットの再送信のために、伝送リソースが基地局によって割り振られ、再送信のリソース割振りは最初の伝送のリソース割振りと同じである。
【００９７】
基地局が宛先ネットワーク装置であるとき、基地局が図１６に示されるステップを実施することが必要である。
【００９８】
まず、ステップＳ２０１で、基地局が、１以上のアシスタント中継局からデータパケットの１以上の複製を受信し、次いでステップＳ２０２で、基地局は、スポンサ中継局からデータパケットの合成後複製を受信し、次いでステップＳ２０３で、基地局は、１以上のアシスタント中継局から受信したデータパケットの１以上の複製及びスポンサ中継局から受信したデータパケットの合成後複製に対して合成処理を適用して、合成後データパケットを生成し、ステップＳ２０４で、合成後データパケットが検査され、検査結果が得られる。合成後データパケットの検査結果に誤りが生じた場合、ステップＳ２０５で、データパケットの再送信のために伝送リソースが割り振られる。
【００９９】
再送信の期間中、上述のステップＳ２０２で、データパケットの再送信時に、上記のステップＳ２０２で、基地局が、再送信中に１以上のアシスタント中継局から受信したデータパケットの１以上の複製及びスポンサ中継局から受信したデータパケットの合成後複製に合成処理を適用して、合成後データパケットを生成した後、上記の合成後データパケット、及び最後の１以上の伝送中に受信されたデータパケットの複数の複製から合成された複製に対して、別の合成処理が適用されることに留意されたい。
【０１００】
具体的には、パッシブハイブリッド自動再送信におけるステップＳ２０５での伝送リソース割振りの特定のフローは、アクティブハイブリッド自動再送信におけるものとは異なる。
【０１０１】
アクティブハイブリッド自動再送信中、基地局でデータパケットの検査結果に誤りが生じたとき、同時に、スポンサ中継局でもデータパケットの検査結果に誤りが生じた場合、データパケットの再送信のために、伝送リソースが、基地局によってソースネットワーク装置、スポンサ中継局、１以上のアシスタント中継局及び宛先ネットワーク装置に割り振られ、再送信のリソース割振りは最初の伝送のリソース割振りと同じである。データパケットの検査結果がスポンサ中継局では正しいが、基地局では誤っている場合、データパケットの再送信のために、伝送リソースが、基地局によってスポンサ中継局、１以上のアシスタント中継局及び宛先ネットワーク装置に割り振られ、又はデータパケットの再送信のために、伝送リソースがスポンサ中継局のみに割り振られる。
【０１０２】
パッシブハイブリッド自動再送信中、基地局でデータパケットの検査結果に誤りが生じたとき、データパケットの再送信のために、伝送リソースが、基地局によってソースネットワーク装置、スポンサ中継局、１以上のアシスタント中継局及び宛先ネットワーク装置に割り振られ、再送信のリソース割振りは最初の伝送のリソース割振りと同じである。
【０１０３】
図１７は本発明の一実施形態によるワイヤレスネットワーク内のスポンサ中継局内のデータ伝送用の送信装置の機能ブロック図を示す。送信装置１０は、第１受信手段１１、ジョイント処理及び送信手段１２、第２受信手段１３、第２送信手段１５及び第３受信手段１４を備える。ジョイント処理及び送信手段１２は、第１合成手段１２１、第１検査手段１２２、第１送信手段１２３及び第３送信手段１２４をさらに備える。説明を簡単にするために、好ましい実施形態では、送信装置１０は何らかの副手段を含む。本発明の実装に必要な手段は第１受信手段１１及びジョイント処理及び送信手段１２だけであり、他の手段は任意選択であることを当業者は理解されたい。
【０１０４】
まず、第１受信手段１１が、複数の異なる伝送路を介して、ソースネットワーク装置からデータパケットの複数の複製を受信し、即ち、第１受信手段１１はソースネットワーク装置からデータパケットの複製を直接的に受信し、１以上のアシスタント中継局を介して、ソースネットワーク装置からデータパケットの１以上の複製を受信する。
【０１０５】
次に、ジョイント処理及び送信手段１２がデータパケットの複数の複製にジョイント処理を適用し、対応するネットワーク装置にジョイント処理の結果を送信する。
【０１０６】
本明細書では、ソースネットワーク装置と宛先ネットワーク装置は、移動局と基地局の対、移動局と中継局の対、中継局と移動局の対、中継局と中継局の対、中継局と基地局の対、基地局と移動局の対、基地局と中継局の対のうちのいずれでもよい。
【０１０７】
データパケットの単一時間伝送のために、第１合成手段１２１及び第１送信手段１２３という２つの副手段によってジョイント処理及び送信手段１２の操作を実施することができる。第１合成手段１２１は、データパケットの複数の複製に合成処理を適用して合成後複製を生成し、第１送信手段１２３は、合成後複製を宛先ネットワーク装置に送信する。
【０１０８】
ハイブリッド自動再送信中、データパケットがスポンサ中継局又は宛先ネットワーク装置によって誤って受信される場合、データパケットの再送信のために、リソースが基地局によってソースネットワーク装置に割り振られる。好ましくは、第２受信手段１３は、ソースネットワーク装置によって再送信されるべきデータパケットを示す再送信指示メッセージを基地局から受信する。第１受信手段１１は、第１受信手段１３によって受信された再送信指示メッセージ、及び基地局によって割り振られた伝送リソースについての情報に従って、対応する伝送リソースを介してデータパケットを再び受信する。再送信中、ジョイント処理及び送信手段１２は、受信した再送信のデータパケットの複数の複製及び前の１以上の伝送のデータパケットの複数の複製にジョイント処理を適用し、対応するネットワーク装置にジョイント処理の結果を送信する。スポンサ中継局が正しく受信するが、宛先が誤って受信する場合、データパケットの再送信のために、リソースが基地局によってスポンサ中継局の第１送信手段１２３に割り振られる。代替実施形態として、データパケットの再送信のために、基地局によってスポンサ中継局と１以上のアシスタント中継局のどちらにもリソースを割り振ることもできる。
【０１０９】
パッシブハイブリッド自動再送信中、対応するネットワーク装置は宛先ネットワーク装置を含む。第１合成手段１２１及び第１送信手段１２３という２つの副手段によってジョイント処理及び送信手段１２の操作を実施することができる。第１合成手段１２１はデータパケットの複数の複製に合成処理を適用して合成後複製を生成し、第１送信手段１２３は合成後複製を宛先ネットワーク装置に送信する。
【０１１０】
宛先ネットワーク装置がデータパケットの合成後複製を受信した後に、検査が合成後パケットに適用される。好ましくは、宛先ネットワーク装置はまた、１以上のアシスタント局からデータパケットの１以上の複製を受信し、次いで合成処理が１以上の複製及びスポンサ中継局からの合成後複製に適用され、合成後データパケットが生成され、検査が合成後データパケットに適用され、次いで検査結果を示す受信指示メッセージがスポンサ中継局に送信される。
【０１１１】
データパケットが宛先ネットワーク装置で正しく受信されるかどうかを示す受信指示メッセージを第３受信手段１４が宛先ネットワーク装置から受信した後、第２送信手段１５が、受信指示メッセージをソースネットワーク装置に送信する。
【０１１２】
ソースネットワーク装置及び宛先ネットワーク装置がそれに対応して移動局と基地局の対、移動局と中継局の対、中継局と移動局の対、中継局と中継局の対、中継局と基地局の対のうちのいずれか１つであるとき、好ましくは、第３受信手段１４がデータパケットの検査結果を示す受信指示メッセージを宛先ネットワーク装置から受信した後、受信指示メッセージが宛先ネットワーク装置について正しい検査結果を示す場合、受信指示メッセージが第２送信手段１５によってソースネットワーク装置に転送される。受信指示メッセージが宛先ネットワーク装置について検査結果の誤りを示す場合、スポンサ中継局はスポンサ中継局自体の中のデータパケットのローカル検査結果が正しいか否かを判定する。データパケットのローカル検査結果が正しい場合、宛先ネットワーク装置のデータパケットの検査誤りを示す受信指示メッセージが、宛先ネットワーク装置のデータパケットの正しい検査結果を示す受信指示メッセージに変更され、第２送信手段１５によってソースネットワーク装置に送信され、その受信指示メッセージは、宛先ネットワーク装置が正しく受信し、データパケットを再送信する必要はないことをソースネットワーク装置に確信させる。再送信はスポンサ中継局及びアシスタント中継局のみによって実施される。
【０１１３】
アクティブハイブリッド自動再送信中、対応するネットワーク装置は、ソースネットワーク装置、宛先ネットワーク装置及び基地局を含み、次いで、第１合成手段１２１、第１検査手段１２２、第１送信手段１２３及び第３送信手段１２４という４つの副手段によってジョイント処理及び送信手段１２の操作を実施することができる。第１合成手段１２１は、データパケットの複数の複製に合成処理を適用して合成後複製を生成し、次に、第１検査手段１２２は、データパケットの合成後複製に検査を適用して、スポンサ中継局がデータパケットを正しく受け取るか否かを示す検査結果を得、最後に、第３送信手段１２４は、検査結果をソースネットワーク装置及び基地局に送信し、第１送信手段１２３は、合成後複製を宛先ネットワーク装置に送信する。第１送信手段１２３及び第３送信手段１２４の送信をどんな特定の順序も伴わずに実施できることに留意されたい。変形形態として、第３送信手段１２４の送信を実施することができるか否かが第１検査手段１２２の検査結果に依存する。即ち、スポンサ中継局がデータパケットを正しく受信することを第１検査手段１２２の検査結果が示す場合、その結果としてデータパケットの合成後複製が第３送信手段１２４によって宛先ネットワーク装置に送信される。
【０１１４】
送信装置１０の各副手段の動作ステップが上記のように機能の観点から説明されることに留意されたい。各副手段の動作のシーケンス順序は、データリンク層の異なるプロトコル、ワイヤレスネットワークの異なる物理層プロトコル又はワイヤレスネットワークの異なるアップリンクサブフレームスケジューリングと共に変化することがある。
【０１１５】
図１８は本発明の一実施形態によるワイヤレスネットワーク内の基地局内のデータ伝送のためのリソース割振り用に使用されるリソース割振り装置の機能ブロック図を示す。リソース割振り装置２０が、割振り手段２１、第４受信手段２２、判定手段２３、第５受信手段２４、第６受信手段２５、第２合成手段２６及び第２検査手段２７を備える。説明を簡単にするために、リソース割振り装置２０は、ある好ましい実施形態のための何らかの副手段を含む。本発明の教示によれば、本発明の実装のために必要な手段は割振り手段２１だけであり、他の副手段は任意選択であることを当業者は理解されたい。
【０１１６】
本発明の一実施形態によれば、割振り手段２１は、ソースネットワーク装置、スポンサ中継局、１以上のアシスタント中継局及び宛先ネットワーク装置のための伝送リソースをそれぞれ割り振るのに使用され、その結果、割り振られたリソースを介して、ソースネットワーク装置はスポンサ中継局及び１以上のアシスタント中継局にデータパケットの複製を送信し、割り振られた伝送リソースを利用することにより、１以上のアシスタント中継局はソースネットワーク装置から受信したデータパケット複製をスポンサ中継局に送信し、スポンサ中継局がデータパケットの複数の複製を受信した後、スポンサ中継局はデータパケットの複数の複製にジョイント処理を適用し、割り振られた伝送リソースを利用することにより、対応するネットワーク装置にジョイント処理の結果を送信する。
【０１１７】
好ましくは、割振り手段２１は、ソースネットワーク装置、スポンサ中継局、１以上のアシスタント中継局及び宛先ネットワーク装置のための伝送リソースをそれぞれ割り振るのに使用され、その結果、割り振られたリソースを介して、ソースネットワーク装置はスポンサ中継局及び１以上のアシスタント中継局に複製データパケットを送信し、割り振られた伝送リソースを利用することにより、１以上のアシスタント中継局はソースネットワーク装置から受信したデータパケット複製をスポンサ中継局及び宛先ネットワーク装置に送信し、スポンサ中継局がデータパケットの複数の複製を受信した後、スポンサ中継局はデータパケットの複数の複製にジョイント処理を適用し、割り振られた伝送リソースを利用することにより、対応するネットワーク装置にジョイント処理の結果を送信する。
【０１１８】
割振り手段２１によって割り振られた伝送リソースのタイミング順序について、図１５を参照することができる。
【０１１９】
本明細書では、ソースネットワーク装置及び宛先ネットワーク装置は、移動局と基地局の対、移動局と中継局の対、中継局と移動局の対、中継局と中継局の対、中継局と基地局の対、基地局と移動局の対、基地局と中継局の対のうちのいずれでもよい。
【０１２０】
アクティブハイブリッド自動再送信中、第４受信手段２２はまた、スポンサ中継局がソースネットワーク装置からデータパケットを正しく受信するかどうかを示す受信指示メッセージをスポンサ中継局から受信する。スポンサ中継局がソースネットワーク装置からデータパケットを正しく受信しない場合、データパケットの再送信のために、伝送リソースが、割振り手段２１によってソースネットワーク装置、スポンサ中継局、１以上のアシスタント中継局及び宛先ネットワーク装置に割り振られ、再送信のリソース割振りは最初の伝送のリソース割振りと同じである。
【０１２１】
スポンサ中継局がソースネットワーク装置からデータパケットを正しく受信するとき、宛先ネットワーク装置からの、第５受信手段２４で受信される、宛先ネットワーク装置のデータパケットの検査結果の正しさを示す受信指示メッセージに従って、割振り手段２１は宛先ネットワーク装置がデータパケットを正しく受信するかどうかを判定する。確かに、基地局が宛先ネットワーク装置自体である場合、受信指示メッセージが第５受信手段２４で不必要に受信され、宛先ネットワーク装置がデータパケットを正しく受信しない場合、データパケットの再送信のために、伝送リソースが割振り手段２１によってスポンサ中継局、１以上のアシスタント中継局に割り振られる。
【０１２２】
パッシブハイブリッド自動再送信の期間中、宛先ネットワーク装置が移動局又は中継局であるとき、第５受信手段２４が、宛先ネットワーク装置がソースネットワーク装置からデータパケットを正しく受信するかどうかを示す受信指示メッセージを宛先ネットワーク装置から受信する。宛先ネットワーク装置がソースネットワーク装置からデータパケットを正しく受信しない場合、データパケットの再送信のために、伝送リソースが割振り手段２１によって割り振られ、再送信のリソース割振りは最初の伝送のリソース割振りと同じである。
【０１２３】
基地局が宛先ネットワーク装置であるとき、第６受信手段２５、第２合成手段２６及び第２検査手段２７が、図１６に示される以下の動作を実施することが必要である。
【０１２４】
まず、第６受信手段２５が、１以上のアシスタント中継局からデータパケットの１以上の複製を受信し、スポンサ中継局からデータパケットの合成後複製を受信し、次いで第２合成手段２６が、１以上のアシスタント中継局から受信したデータパケットの１以上の複製及びスポンサ中継局から受信したデータパケットの合成後複製に対して別の合成処理を適用し、合成後データパケットを生成し、第２検査手段２７によって合成後データパケットが検査され、検査結果が得られる。合成後データパケットの検査結果に誤りが生じた場合、データパケットの再送信のために、割振り手段２１によって伝送リソースが割り振られる。
【０１２５】
再送信の期間中、第２合成手段２６が、再送信中に１以上のアシスタント中継局から受信した、データパケットの１以上の複製、及びスポンサ中継局から受信したデータパケットの合成後複製に対して合成処理を適用して、合成後データパケットを生成した後、上記の合成後データパケット、及び最後の１以上の伝送中に受信されたデータパケットの複数の複製から合成された複製に対して、別の合成処理が第２合成手段２６によって適用されることに留意されたい。
【０１２６】
具体的には、パッシブハイブリッド自動再送信で割振り手段２１によって実施される伝送リソース割振りの特定の動作はアクティブハイブリッド自動再送信でのものとは異なる。
【０１２７】
アクティブハイブリッド自動再送信中、基地局でデータパケットの検査結果に誤りが生じたとき、同時に、スポンサ中継局でもデータパケットの検査結果に誤りが生じた場合、データパケットの再送信のために、伝送リソースが、割振り手段２１によってソースネットワーク装置、スポンサ中継局、１以上のアシスタント中継局及び宛先ネットワーク装置に割り振られ、再送信リソースは、最初の伝送のリソース割振りと同様に割り振られる。データパケットの検査結果がスポンサ中継局では正しいが、基地局では誤っている場合、データパケットの再送信のために、伝送リソースが、割振り手段２１によってスポンサ中継局、１以上のアシスタント中継局及び宛先ネットワーク装置に割り振られ、又はデータパケットの再送信のために、伝送リソースが割振り手段２１によってスポンサ中継局のみに割り振られる。
【０１２８】
パッシブハイブリッド自動再送信中、基地局でデータパケットの検査結果に誤りが生じたとき、データパケットの再送信のために、伝送リソースが、割振り手段２１によってソースネットワーク装置、スポンサ中継局、１以上のアシスタント中継局及び宛先ネットワーク装置に割り振られ、再送信のリソースはリソースが最初の伝送で割り振られるのと同様に割り振られる。
【０１２９】
本発明の実施形態を上記で説明した。本発明が上記の特定の実施形態に限定されず、添付の特許請求の範囲の範囲及び精神から逸脱することなく、様々な修正形態又は補正を行えることを当業者は理解されたい。
【図１】
2010532115.tif 000003
【図２】
2010532115.tif 000004
【図３】
2010532115.tif 000005
【図４】
2010532115.tif 000006
【図５】
2010532115.tif 000007
【図６】
2010532115.tif 000008
【図７】
2010532115.tif 000009
【図８】
2010532115.tif 000010
【図９】
2010532115.tif 000011
【図１０】
2010532115.tif 000012
【図１１】
2010532115.tif 000013
【図１２】
2010532115.tif 000014
【図１３】
2010532115.tif 000015
【図１４】
2010532115.tif 000016
【図１５】
2010532115.tif 000017
【図１６】
2010532115.tif 000018
【図１７】
2010532115.tif 000019
【図１８】
2010532115.tif 000020
【国際調査報告】
2010532115.tif 000021
2010532115.tif 000022
2010532115.tif 000023
2010532115.tif 000024